(57)【特許請求の範囲】
【請求項１】
物体側から順に、正の屈折力を有する第１群、負の屈折力を有する第２群、正の屈折力を有する第３群、正の屈折力を有する第４群より構成され、広角端から望遠端への変倍に際して、前記第１群と前記第２群の空気間隔が大きく、前記第２群と前記第３群の空気間隔が小さく、前記第３群と前記第４群の空気間隔が小さくなるように、前記第１群、前記第３群、前記第４群が物体側へ移動し、広角端におけるバックフォーカスをＳｋｗ、前記第３群の焦点距離をｆ３、前記第４群の焦点距離をｆ４、広角端における全系の焦点距離をｆｗとしたとき、
０．２  ＜  ｆｗ／Ｓｋｗ＜  ０．６
０．０１＜  ｆｗ／ｆ３  ＜  ０．４
１．３  ＜  ｆ４／ｆｗ  ≦  １．７８
なる条件を満足することを特徴とするズームレンズ。
【請求項２】
絞りからレンズ最終面までの広角端における距離をＤｐｗ、広角端におけるレンズ第１面からレンズ最終面までの距離をＴＤｗとしたとき、
０．５  ＜  ｆｗ／Ｄｐｗ  ＜  ０．７
０．４  ＜  Ｓｋｗ／ＴＤｗ＜  ０．８
なる条件を満足することを特徴とする請求項１に記載のズームレンズ。
【請求項３】
広角端から望遠端への変倍における前記第４群の移動量をｍ４としたとき、
−３．０  ＜  ｍ４／ｆｗ  ＜  −０．４
なる条件を満足することを特徴とする請求項１または２に記載のズームレンズ。
【請求項４】
前記第３群は１枚の正レンズから成ることを特徴とする請求項１乃至３のいずれか１項に記載のズームレンズ。
【請求項５】
前記第２群を光軸方向に移動させることにより無限遠から至近までのフォーカシングを行い、前記第２群の焦点距離をｆ２としたとき、
−１．０  ＜  ｆ２／ｆｗ  ＜  −０．５
なる条件を満足することを特徴とする請求項１乃至４のいずれか１項に記載のズームレンズ。
【請求項６】
前記第１群の焦点距離をｆ１としたとき、
０．１  ＜  ｆｗ／ｆ１  ＜  ０．３
なる条件を満足することを特徴とする請求項１乃至５のいずれか１項に記載のズームレンズ。
【請求項７】
前記第４群の最も像側にプラスチック非球面レンズを有し、該プラスチック非球面レンズの材質のアッベ数をＶｄとしたとき、
Ｖｄ  ＞  ５０
なる条件を満足することを特徴とする請求項１乃至６のいずれか１項に記載のズームレンズ。
【請求項８】
前記第４群は、物体側から順に、正レンズ、負レンズ、プラスチックレンズを有することを特徴とする請求項１乃至７のいずれか１項に記載のズームレンズ。
【請求項９】
前記第１群は１枚の正レンズと１枚の負レンズから成ることを特徴とする請求項１乃至８のいずれか１項に記載のズームレンズ。
【発明の詳細な説明】
【技術分野】
【０００１】
本発明は銀塩フィルムカメラ、電子記録方式のデジタルカメラやビデオカメラ等に最適なズームレンズに関し、イメージサークルに対して比較的バックフォーカスが長いカメラに最適な屈折力配置や構成を設定することにより、高い光学性能と小型化が図られたズームレンズに関するものである。
【背景技術】
【０００２】
近年、一眼レフカメラやレンズシャッターカメラ、デジタルスチルカメラ、ビデオカメラ等の小型化に伴い、これらに使用される撮影レンズとしてレンズ全長が短くコンパクトなズームレンズが要望されている。また、デジタル一眼レフカメラが普及するに伴い、焦点距離に比してバックフォーカスの長い光学系が求められている。
【０００３】
物体側より順に正、負、正、そして正の屈折力のレンズ群の４つのレンズ群より成り、各レンズ群を少枚数のレンズで構成する一方第３レンズ群以降に２面以上の非球面を配置することなどにより、コンパクトで広画角のズーム比３倍以上のズームレンズが知られている（例えば、特許文献１）。
【０００４】
また、物体側より順に正、負、正、そして正の屈折力のレンズ群の４つのレンズ群より成り、各レンズ群の構成枚数を限定して、且つ屈折力配分も規定することなどにより、コンパクトで広画角のズーム比３．５倍程度までのズームレンズが知られている（例えば特許文献２、特許文献３）。
【０００５】
また、物体側より順に正、負、正、そして正の屈折力のレンズ群の４つのレンズ群より成り、第３群を正レンズ１枚で構成した高変倍率のズームレンズが知られている（例えば特許文献４、特許文献５、特許文献６）。
【特許文献１】特開平８−２２０４３９号公報
【特許文献２】特開平９−１８４９８２号公報
【特許文献３】特開２００４−３３３７７０号公報
【特許文献４】特開平８−３２７８７３号公報
【特許文献５】特開平９−１２７４１７号公報
【特許文献６】特開２００４−２４０１５１号公報
【発明の開示】
【発明が解決しようとする課題】
【０００６】
一般にズームレンズにおいて、レンズ系全体の小型化を図りつつ、所定の変倍比を有しつつ、全変倍範囲にわたり良好なる光学性能を得るには、各レンズ群のレンズ構成を適切に設定する必要がある。ズームレンズにおいて、各レンズ群の屈折力を強めれば変倍における各レンズ群の移動量が少なくなり、レンズ全長の短縮化が可能となる。しかしながら、各レンズ群の屈折力を単に強めると変倍に伴う収差変動が大きくなり、これを良好に補正するのが難しくなってくるという問題点が生じてくる。
【０００７】
前記特許文献１で開示されているズームレンズでは、４つあるレンズ群の全てが３枚以下のレンズで構成されていて全体のレンズ枚数も少なくコンパクトではあるが、その一方で、屈折力の強い非球面レンズを比較的製造の難しいガラス材質で形成したものを２枚以上は使用している。この為、製造が難しくなる傾向があった。
【０００８】
前記特許文献２に開示されているズームレンズは、少枚数構成で４群ズームレンズを達成しているが、変倍比が３倍を超えるような場合はやはり非球面レンズを２枚使用する必要がある。この為、製造が難しくなる傾向にあった。また、光学系の中で最も大きな口径を有している第１レンズ群が、比較的強い正の屈折力を持っているために曲率の強いレンズ形状を有しており、そのためにレンズの加工が難しくなる傾向があった。特に正、負、正そして正の屈折力のレンズ群の４つのレンズ群より成る４群ズームレンズにおいて、高変倍率でレンズ枚数が少ない小型のレンズ系を達成するにはズーミングに伴う各レンズ群の移動条件や各レンズ群の屈折力等を適切に設定する必要がある。これらが満足されないと諸収差の発生が増大し、全変倍範囲にわたり良好なる画質の映像を得るのが難しくなってくる。
【０００９】
前記特許文献３に開示されているズームレンズは、少枚数構成で４群ズームレンズを達成している。しかしながら、焦点距離に比してバックフォーカスが短いので良くない。
【００１０】
前記特許文献４に開示されているズームレンズは、少枚数構成で４群ズームレンズを達成している。第３群を正レンズ１枚で構成しており、焦点距離に比してバックフォーカスも十分確保されているものの、光学全長が長いため小型化においては達成できていなかった。
【００１１】
前記特許文献５に開示されているズームレンズは、少枚数構成で４群ズームレンズを達成している。第３群を正レンズ１枚で構成しており、焦点距離に比してバックフォーカスも十分確保されているものの、光学全長が長いため小型化においては達成できていなかった。
【００１２】
前記特許文献６に開示されているズームレンズは、少枚数構成で４群ズームレンズを達成している。第３群を正レンズ１枚で構成しており、また、最終レンズにプラスチック非球面レンズを用いて高画質化が図られ、焦点距離に比してバックフォーカスも十分確保されているものの、光学全長が長いため小型化においては達成できていなかった。
【００１３】
本発明は、ズーミングに伴う各レンズ群の屈折力等を適切に設定することにより比較的バックフォーカスの長い高変倍比で全変倍範囲にわたり高い光学性能を有するズームレンズ及びそれを有する光学機器の提供を目的とする。
【課題を解決するための手段】
【００１４】
物体側から順に、正の屈折力を有する第１群、負の屈折力を有する第２群、正の屈折力を有する第３群、正の屈折力を有する第４群より構成され、広角端から望遠端への変倍に際して、前記第１群と前記第２群の空気間隔が大きく、前記第２群と前記第３群の空気間隔が小さく、前記第３群と前記第４群の空気間隔が小さくなるように、前記第１群、前記第３群、前記第４群が物体側へ移動し、広角端におけるバックフォーカスをＳｋｗ、前記第３群の焦点距離をｆ３、前記第４群の焦点距離をｆ４、広角端における全系の焦点距離をｆｗとしたとき、
０．２  ＜  ｆｗ／Ｓｋｗ＜  ０．６      （１）
０．０１＜  ｆｗ／ｆ３  ＜  ０．４      （２）
１．３  ＜  ｆ４／ｆｗ  ≦  １．７８    （７）
なる条件を満足することを特徴とするズームレンズ。
【発明の効果】
【００１８】
全変倍範囲において高い光学性能を有した比較的バックフォーカスが長く、光学全長の短いズームレンズが実現可能である。
【発明を実施するための最良の形態】
【００１９】
以下、本発明のズームレンズ及びそれを有する光学機器の実施形態について説明する。
【００２０】
図１は実施形態１のズームレンズの広角端のレンズ断面図、図２、図３は実施形態１のズームレンズの広角端、望遠端のズーム位置における収差図である。
【００２１】
図４は実施形態２のズームレンズの広角端のレンズ断面図、図５、図６は実施形態２のズームレンズの広角端、望遠端のズーム位置における収差図である。
【００２２】
図７は実施形態３のズームレンズの広角端のレンズ断面図、図８、図９は実施形態３のズームレンズの広角端、望遠端のズーム位置における収差図である。
【００２３】
図１０は実施形態４のズームレンズの広角端のレンズ断面図、図１１、図１２は実施形態４のズームレンズの広角端、望遠端のズーム位置における収差図である。
【００２４】
図１３は実施形態５のズームレンズの広角端のレンズ断面図、図１４、図１５は実施形態５のズームレンズの広角端、望遠端のズーム位置における収差図である。
【００２５】
図１６は実施形態６のズームレンズの広角端のレンズ断面図、図１７、図１８は実施形態６のズームレンズの広角端、望遠端のズーム位置における収差図である。
【００２６】
図１、図４、図７、図１０、図１３、図１６のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群である。広角端に対して望遠端での、第１レンズ群Ｌ１と第２レンズ群Ｌ２の間隔（軸上空気間隔）が大きく、第２レンズ群Ｌ２と第３レンズ群Ｌ３の間隔が小さく、第３レンズ群Ｌ３と第４レンズ群Ｌ４の間隔が小さくなるようにレンズ群を矢印の如く物体側へ移動させてズーミングを行っている。
【００２７】
具体的には、第１、第３、第４レンズ群Ｌ１、Ｌ３、Ｌ４を物体側へ、第２レンズ群Ｌ２を像面側に凸状の軌跡の一部に沿って移動させている。
【００２８】
ＳＰは絞りである。ＦＳはフレアーカット絞りであり、本実施例においては変倍の際、固定であるが、変倍で移動させても良い。ＩＰは像面であり、デジタルカメラのときは固体撮像素子がフィルム用カメラのときはフィルムが位置している。
【００２９】
フォーカスは第２レンズ群Ｌ２を光軸に沿って移動させて行っている。
【００３０】
尚、各実施形態において、広角端と望遠端とは変倍用のレンズ群が機構上、移動可能な光軸上、一端から他端まで移動するときの両端のズーム位置をいう。
【００３１】
収差図において、ｄはｄ線、ｇはｇ線、Ｓ．Ｃは正弦条件、ΔＭはメリディオナル像面、ΔＳはサジタル像面、倍率色収差はｇ線によって表わしている。また、ＦｎｏはＦナンバー、Ｙは像高である。
【００３２】
次に、実施形態１〜６のズームレンズのレンズ構成の特徴について説明する。
【００３３】
実施形態１〜６に係るズームレンズは、４つのレンズ群を全て移動させてズーミング及び変倍に伴う像面変動の補正を行うことにより、屈折力の効率的な分配を行い、全体としてコンパクトな光学系ながらも高い変倍比と良好な光学性能を得ている。
【００３４】
第１群は正レンズ１枚と負レンズ１枚で構成することで、色収差を補正すると共に、特に望遠端における球面収差を補正することが出来る。２枚構成とすることで第１群を薄くできるのでメカ構成においても有利であり小型化に寄与する。
【００３５】
第２群は負レンズ２枚と正レンズ１枚で構成している。第２群は、最も変倍分担が大きく、また、フォーカス群であるため第２群単独である程度の収差補正がなされていなければならない。第２群は負の屈折力が強いので負レンズ１枚、正レンズ１枚では収差補正が十分にできない為、負レンズを２枚に分けることで実現している。また、第２群の最も物体側のレンズを物体側へ凸の負メニスカスレンズとすることで特に広角端における歪曲収差を補正している。
【００３６】
第３群は正レンズ１枚と負レンズ１枚、又は、正レンズ１枚のみで構成している。第３群の正の屈折力は第４群の正の屈折力より弱くなるような屈折力配置を設定しており、第３群は比較的少枚数で構成できる。正レンズ１枚構成とすることで第２群、第４群で発生する変倍における球面収差変動を補正することができるので好ましい。変倍率が高くなり変倍による軸上色収差変動が大きくなってきたり、更なる高性能化を図るためには正レンズと負レンズの２枚構成にすることが好ましい。
【００３７】
第４群は正レンズと負レンズとプラスチック非球面レンズで構成している。第４群は広角端から望遠端への変倍において物体側へ大きく移動しており、軸外光束の４群通過位置が広角端と望遠端で比較的異なっているので、第４群の中でも、より像面側の位置に非球面を配置することで全変倍範囲にわたり高い光学性能が実現できる。プラスチックはガラスと比べて温度による膨張収縮や屈折率変化が大きいので、プラスチック非球面レンズの屈折力を弱く設定することが好ましい。
【００４２】
次に、本発明のズームレンズが満足する条件式または満足することが望ましい条件式である条件式（１）−（５）について説明する。
０．２  ＜  ｆｗ／Ｓｋｗ＜  ０．６ （１）
０．０１＜  ｆｗ／ｆ３  ＜  ０．４ （２）
０．５  ＜  ｆｗ／Ｄｐｗ  ＜  ０．７ （３）
０．４  ＜  Ｓｋｗ／ＴＤｗ＜  ０．８ （４）
−３．０  ＜  ｍ４／ｆｗ  ＜  −０．４ （５）
【００４３】
条件式（１）は広角端におけるバックフォーカスと広角端における全系の焦点距離の比に関し、小型化と適切なバックフォーカスを設定するためのものである。但し、バックフォーカスとは最も像面側のレンズ面の面頂点から無限物点に対する近軸像面までの距離である。
【００４４】
条件式（１）の下限値を超えると、焦点距離に対してバックフォーカスが長くなり過ぎて、全系の全長が長くなり、前玉径も増大傾向があるので小型化を図る上で良くない。条件式（１）の上限値を超えると、バックフォーカスが短くなり過ぎて一眼レフのミラー等と干渉するなど、メカ構成上良くない。更に好ましくは、条件式（１）の下限値を０．４２とすることが望ましい。
【００４５】
条件式（２）は第３群の焦点距離と広角端における全系の焦点距離との比であり、第３群の焦点距離を適切に設定することで第３群の少枚数化を達成しつつ高い光学性能を得ることができる。
【００４６】
条件式（２）の下限値を超えると第３群の屈折力が弱くなり過ぎて第２群または第４群で発生する変倍における球面収差変動を抑制することが困難となり、補正しようとすると第３群の移動量が増大してレンズ系全体が大型化するので良くない。また、上限値を超えて第３群の屈折力が強くなり過ぎると、広角端において全系の像側主点位置が物体側へ位置するようになりバックフォーカスを確保することが困難となるので良くない。また、バックフォーカスを確保しようとして第４群の屈折力を弱くすると第３群の変倍分担が大きくなり、第３群を少枚数で構成することが困難となるため良くない。
【００４７】
更に好ましくは条件式（２）の下限値を０．０６とすることが望ましい。また、上限値を０．２９とすることが望ましい。
【００４８】
条件式（３）は開放絞りと最も像面側のレンズ面頂点との広角端における距離と広角端における全系の焦点距離の比に関し、小型化と色収差を良好に補正するためのものである。条件式（３）の下限値を超えると射出瞳位置が物体側に寄り過ぎて後玉径が増大すると共に広角端における倍率色収差の補正が困難となるので良くない。また、上限を超えると入射瞳位置が像面側に寄り過ぎて前玉径が増大すると共に望遠端における倍率色収差の補正が困難となるので良くない。
【００５０】
条件式（４）は、広角端におけるバックフォーカスと広角端におけるレンズ第1面から最終レンズ面までの距離との比に関し、小型化と諸収差のバランスを図るためのものである。
【００５１】
条件式（４）の下限値を超えるとレンズ全長が長くなり、レンズ径も増大するので良くない。また、上限値を超えると各群の屈折力が強くなる傾向にあり、少枚数なレンズ構成では諸収差を補正することが困難となるので良くない。
【００５２】
更に好ましくは、条件式（４）の上限値を０．６とすることが望ましい。
【００５３】
条件式（５）は、前記第４群の広角端から望遠端への変倍における移動量と広角端における全系の焦点距離との比に関し、主に変倍における収差変動を補正するためのものである。
【００５４】
条件式（５）の下限値を超えると前記第４群の移動量が大きくなり過ぎて望遠端における光学全長が増大するので良くない。また、上限値を超えると第４群の変倍作用が減少して変倍比を確保することが困難となり、また、第４群を通過する軸外光束の光軸からの距離が広角端と望遠端とで差が小さくなるので、変倍における軸外の収差補正に不利となり、変倍における収差変動が悪化するので良くない。
【００５５】
更に好ましくは、条件式（５）の下限値を−２．０とすることが望ましい。また、上限値を−１．１とすることが望ましい。
【００５７】
更に好ましくは、以下の（Ａ）〜（Ｆ）の内少なくとも一つを満足させることが望ましい。
【００５８】
（Ａ）
前記第２群を光軸方向に移動させることにより無限遠から至近までのフォーカシングを行い、前記第２群の焦点距離をｆ２、広角端における全系の焦点距離をｆｗとしたとき、
−１．０  ＜  ｆ２／ｆｗ  ＜  −０．５          （６）
なる条件を満足すること。
【００５９】
（Ｂ）
前記第４群の焦点距離をｆ４、広角端における全系の焦点距離をｆｗとしたとき、
１．３  ＜  ｆ４／ｆｗ  ≦  １．７８              （７）
なる条件を満足すること。
【００６０】
（Ｃ）
前記第１群の焦点距離をｆ１、広角端における全系の焦点距離をｆｗとしたとき、
０．１  ＜  ｆｗ／ｆ１  ＜  ０．３              （８）
なる条件を満足すること。
【００６１】
（Ｄ）
前記第４群の最も像側にプラスチック非球面レンズを有し、該プラスチック非球面レンズの材質のアッベ数をＶｄとしたとき、
Ｖｄ  ＞  ５０                                  （９）
なる条件を満足すること。
【００６２】
（Ｅ）
前記第４群は物体側から順に正レンズ、負レンズ、プラスチックレンズを有すること。
【００６３】
（Ｆ）
前記第１群は正レンズ１枚、負レンズ１枚から成ること。
【００６４】
次に上述した（A）〜（ｆ）の技術的意味について説明する。
【００６５】
（A）
比較的強い負の屈折力を有する第２群を無限遠から至近の被写体に対して物体側へ繰出すことにより合焦させるようにしている。屈折力が比較的強いので繰出量が少なくて済むのでメカ機構上好ましく、また、フォーカシングによる収差変動を抑えることが出来るので好ましい。更に条件式（６）を満足するようにしている。
【００６６】
条件式（６）は、第２群の焦点距離と広角端における全系の焦点距離の比に関し、小型化と高性能化とのバランスが図られた第2群の屈折力を規定するものである。
【００６７】
条件式（６）の下限値を超えると、第２群の屈折力が弱くなり過ぎてフォーカシングによる第２群の繰出量が増大し、第１群のレンズ径が大型化し、また、広角端においてバックフォーカスの確保が困難となるので好ましくない。また、上限値を超えると第２群の屈折力が強くなり過ぎてフォーカシングによる球面収差変動が大きくなり、また、特に広角端における歪曲収差を補正することが困難となるので好ましくない。
【００６８】
更に好ましくは、条件式（６）の上限値を−０．７５とすることが望ましい。
【００６９】
（B）
条件式（７）を満足するようにしている。
【００７０】
条件式（７）は第4群の焦点距離と広角端における全系の焦点距離の比に関し、広角端においてバックフォーカスを確保しつつ高性能化を図るためのものである。
【００７１】
条件式（７）の下限値を超えると、第４群の屈折力が強くなり過ぎて、特に広角端において像面湾曲が増大し、また、望遠端において球面収差を補正することが困難となるので好ましくない。また、上限値を超えると第４群の屈折力が弱くなり過ぎて、特に広角端においてレトロフォーカスタイプが弱くなり、バックフォーカスの確保が困難となるので好ましくない。
【００７３】
（C）
条件式（８）を満足するようにしている。
【００７４】
条件式（８）は、第１群の焦点距離と広角端における全系の焦点距離の比に関し、小型化と光学性能のバランスを図るためのものである。
【００７５】
条件式（８）の下限値を越えて第１群の屈折力が強くなると、変倍時に発生する収差の補正が困難となるので好ましくない。また、上限値を越えて第１群の屈折力が弱くなると、変倍に際し第１レンズ群の移動量が大きく必要となり光学系の小型化が困難となるので好ましくない。
【００７６】
更に好ましくは、条件式（８）の下限値を０．１５とすることが望ましい。また、上限値を０．２５とすることが望ましい。
【００７７】
（D）
前記第４群の最も像側にプラスチック非球面レンズを配置している。最も像面側に中心から周辺にかけて正の屈折力が弱くなる非球面を配置することで特に広角端における歪曲収差とコマ収差を良好に補正できる。プラスチックとは有機材料であり、ガラス非球面レンズと比べ低価格であるので好ましい。
【００７８】
更に条件式（９）を満足するようにしている。
【００７９】
条件式（９）は前記第4群の最も像側にプラスチック非球面レンズの材質のアッベ数を規定したものであり、特に広角端における軸外の諸収差を良好に補正するためのものである。
【００８０】
条件式（９）の下限値を超えてプラスチックの材質の分散が強くなると特に広角端において色のコマ収差が発生し光学性能が悪化するので好ましくない。
【００８１】
（F）
前記第１群を正レンズ１枚、負レンズ１枚の２枚構成にすることで第１群が薄くできるので光学系の小型化が図られるので好ましい。光学系の中で第１群はレンズ径が最も大きく、第１群が厚くなるとメカ機構で使える空間がなくなり、その為、広角端における光学全長を大きくしなければならず、小型化において不利になる。
【００８２】
次に本発明の数値実施例を示す。数値実施例においてＲｉは物体側より順に第ｉ番目のレンズ面の曲率半径、Ｄｉはそれぞれ第ｉ番目のレンズ厚または空気間隔、ＮｉとＶｉは第ｉ番目のレンズの材質の屈折率とアッベ数である。また、非球面形状はレンズ面の中心部の曲率半径をＲとし、光軸方向２をＸ軸とし、光軸と垂直方向をＹ軸とし、A，Ｂ，Ｃ、Ｄ，Ｅ、Ｆをそれぞれ非球面係数としたとき、
【００８３】
【数１】
0004794935.tif 000002
表１には本発明の上述した条件式と数値実施例の関係を示す。
【００８４】
数値実施例 1 
ｆ＝ 17.55〜  63.09  Ｆｎｏ＝ 3.49 〜 5.85  ２ω＝75.7 〜 24.4
R 1 =   54.758      D 1 =  7.02      N 1 = 1.712995      ν 1 = 53.9
R 2 = -200.914      D 2 =  1.80      N 2 = 1.846660      ν 2 = 23.9
R 3 =  523.721      D 3 =  可変
R 4 =   79.514      D 4 =  1.40      N 3 = 1.810890      ν 3 = 46.1
R 5 =   11.529      D 5 =  5.89
R 6 =  -57.038      D 6 =  1.10      N 4 = 1.803567      ν 4 = 46.3
R 7 =   22.885      D 7 =  0.12
R 8 =   18.886      D 8 =  3.80      N 5 = 1.846660      ν 5 = 23.9
R 9 = 14237.822      D 9 =  可変
R10 =    絞り       D10 =  2.17
R11 =   87.751      D11 =  1.83      N 6 = 1.514397      ν 6 = 54.7
R12 =  -50.265      D12 =  0.10
R13 =  -41.544      D13 =  1.00      N 7 = 1.779728      ν 7 = 28.7
R14 =  -71.511      D14 =  可変
R15 =   13.281      D15 =  4.43      N 8 = 1.490409      ν 8 = 68.0
R16 =  -54.778      D16 =  1.00      N 9 = 1.816219      ν 9 = 25.1
R17 =   96.026      D17 =  6.26
R18 =   77.246      D18 =  1.70      N10 = 1.491710      ν10 = 57.4
* R19 = -107.661      D19 =  可変
R20 =    ∞ 
非球面係数
19面 : ｋ=0.00000e+00  Ａ=０  Ｂ=9.28474e-05  Ｃ=3.48870e-07
Ｄ=2.69552e-09 E=2.97320e-11 F=0.00000e+00
＼焦点距離    17.55    31.50    63.09
可変間隔＼
D 3             2.54    15.14     26.44
D 9            17.79    10.29      3.32
D14            11.13     4.49      0.59
D19             0.75     9.83     26.99
数値実施例  2
ｆ＝ 17.55〜  63.10  Ｆｎｏ＝ 3.55 〜 5.85  ２ω＝75.7 〜 24.4
R 1 =   52.091      D 1 =  1.80      N 1 = 1.846660      ν 1 = 23.9
R 2 =   36.478      D 2 =  7.00      N 2 = 1.712995      ν 2 = 53.9
R 3 =  391.270      D 3 =  可変
R 4 =   78.974      D 4 =  1.40      N 3 = 1.804000      ν 3 = 46.6
R 5 =   11.397      D 5 =  5.86
R 6 =  -64.049      D 6 =  1.10      N 4 = 1.772499      ν 4 = 49.6
R 7 =   22.061      D 7 =  0.12
R 8 =   18.264      D 8 =  3.70      N 5 = 1.846660      ν 5 = 23.9
R 9 =  275.874      D 9 =  可変
R10 =    絞り       D10 =  3.95
R11 =   47.074      D11 =  1.88      N 6 = 1.516330      ν 6 = 64.1
R12 =  -36.496      D12 =  0.32
R13 =  -33.907      D13 =  1.00      N 7 = 1.834000      ν 7 = 37.2
R14 = -178.862      D14 =  可変
R15 =   13.805      D15 =  4.48      N 8 = 1.487490      ν 8 = 70.2
R16 =  -42.980      D16 =  1.00      N 9 = 1.846660      ν 9 = 23.9
R17 = -238.566      D17 =  5.94
R18 =  499.134      D18 =  1.70      N10 = 1.491710      ν10 = 57.4
* R19 = -102.686      D19 =  可変
R20 =    ∞ 
非球面係数
19面 : ｋ=0.00000e+00  Ａ=０  Ｂ=1.06618e-04  Ｃ=1.74946e-07
Ｄ=1.00252e-08 E=-3.70645e-11 F=0.00000e+00
＼焦点距離    17.55    32.65    63.10
可変間隔＼
D 3             2.60    13.08     25.52
D 9            17.85     8.52      2.31
D14             7.35     3.09      0.60
D19             0.69    12.20     28.06
数値実施例  3
ｆ＝ 18.55〜  63.78  Ｆｎｏ＝ 3.83 〜 5.85  ２ω＝72.6 〜 24.1
R 1 =   71.459      D 1 =  6.89      N 1 = 1.696797      ν 1 = 55.5
R 2 = -125.465      D 2 =  1.80      N 2 = 1.846660      ν 2 = 23.9
R 3 = -878.861      D 3 =  可変
R 4 =  124.555      D 4 =  1.40      N 3 = 1.712995      ν 3 = 53.9
R 5 =   12.183      D 5 =  6.20
R 6 =  -72.585      D 6 =  1.10      N 4 = 1.712995      ν 4 = 53.9
R 7 =   24.427      D 7 =  0.12
R 8 =   19.400      D 8 =  3.70      N 5 = 1.805181      ν 5 = 25.4
R 9 =  151.868      D 9 =  可変
R10 =    絞り       D10 =  4.43
R11 =   38.666      D11 =  1.55      N 6 = 1.487490      ν 6 = 70.2
R12 = -227.781      D12 =  0.30
R13 =  -96.461      D13 =  1.00      N 7 = 1.846660      ν 7 = 23.9
R14 = -676.468      D14 =  可変
R15 =   13.420      D15 =  5.03      N 8 = 1.487490      ν 8 = 70.2
R16 =  -47.196      D16 =  1.00      N 9 = 1.846660      ν 9 = 23.9
R17 = -332.590      D17 =  5.70
R18 = -107.598      D18 =  1.50      N10 = 1.491710      ν10 = 57.4
* R19 = -117.977      D19 =  可変
R20 =    ∞ 
非球面係数
19面 : ｋ=0.00000e+00  Ａ=０  Ｂ=1.20151e-04  Ｃ=3.89639e-07
Ｄ=6.75416e-09 E=8.91048e-12 F=0.00000e+00
＼焦点距離    18.55    31.47    63.78
可変間隔＼
D 3             2.99    15.69     30.86
D 9            20.72    11.28      2.61
D14             7.23     3.99      1.42
D19             0.49     8.88     24.55
数値実施例  4
ｆ＝ 17.57〜  63.10  Ｆｎｏ＝ 3.47 〜 5.85  ２ω＝75.6 〜 24.4
R 1 =   60.219      D 1 =  6.97      N 1 = 1.696797      ν 1 = 55.5
R 2 = -175.009      D 2 =  1.80      N 2 = 1.846660      ν 2 = 23.9
R 3 = 1970.686      D 3 =  可変
R 4 =   85.053      D 4 =  1.40      N 3 = 1.804000      ν 3 = 46.6
R 5 =   11.644      D 5 =  6.16
R 6 =  -56.088      D 6 =  1.10      N 4 = 1.772499      ν 4 = 49.6
R 7 =   24.731      D 7 =  0.12
R 8 =   19.514      D 8 =  3.50      N 5 = 1.805181      ν 5 = 25.4
R 9 = 2320.747      D 9 =  可変
R10 =    絞り       D10 =  0.80
R11 =  103.870      D11 =  1.74      N 6 = 1.487490      ν 6 = 70.2
R12 = -150.610      D12 =  可変
R13 =   13.378      D13 =  5.26      N 7 = 1.487490      ν 7 = 70.2
R14 =  -40.270      D14 =  1.00      N 8 = 1.846660      ν 8 = 23.9
R15 =  433.972      D15 =  5.94
R16 =  156.798      D16 =  1.70      N 9 = 1.491710      ν 9 = 57.4
* R17 = -111.139      D17 =  可変
R18 =    ∞ 
非球面係数
17面 : ｋ=0.00000e+00  Ａ=０  Ｂ=9.94868e-05  Ｃ=1.49969e-07
Ｄ=1.02746e-08 E=-3.81624e-11 F=0.00000e+00
＼焦点距離    17.57    31.00    63.10
可変間隔＼
D 3             2.55    15.08     26.60
D 9            18.37    11.28      5.28
D12            13.51     6.68      0.82
D17             0.47     9.72     28.38  数値実施例  5
ｆ＝ 18.55〜  63.09  Ｆｎｏ＝ 3.53 〜 5.85  ２ω＝72.6 〜 24.4
R 1 =   58.655      D 1 =  6.80      N 1 = 1.696797      ν 1 = 55.5
R 2 = -173.610      D 2 =  1.80      N 2 = 1.846660      ν 2 = 23.9
R 3 = 1129.100      D 3 =  可変
R 4 =   91.613      D 4 =  1.40      N 3 = 1.670029      ν 3 = 47.2
R 5 =   11.308      D 5 =  6.38
R 6 =  -67.146      D 6 =  1.10      N 4 = 1.772499      ν 4 = 49.6
R 7 =   23.445      D 7 =  0.12
R 8 =   18.790      D 8 =  3.60      N 5 = 1.846660      ν 5 = 23.9
R 9 =  108.872      D 9 =  可変
R10 =    絞り       D10 =  2.73
R11 =   53.514      D11 =  2.00      N 6 = 1.487490      ν 6 = 70.2
R12 =  348.077      D12 =  可変
R13 =   13.877      D13 =  5.67      N 7 = 1.487490      ν 7 = 70.2
R14 =  -43.755      D14 =  1.00      N 8 = 1.846660      ν 8 = 23.9
R15 =  193.468      D15 =  5.37
R16 =   96.043      D16 =  1.90      N 9 = 1.491710      ν 9 = 57.4
* R17 =  -72.083      D17 =  可変
R18 =    ∞ 
非球面係数
17面 : ｋ=0.00000e+00  Ａ=０  Ｂ=8.58802e-05  Ｃ=2.76497e-07
Ｄ=2.61371e-09 E=1.55605e-11 F=0.00000e+00
＼焦点距離    18.55    28.22    63.09
可変間隔＼
D 3             2.82    11.55     26.05
D 9            16.86    10.62      2.75
D12            10.86     6.60      1.03
D17             0.85     7.62     26.56
数値実施例  6
ｆ＝ 20.00〜  78.02  Ｆｎｏ＝ 3.47 〜 5.85  ２ω＝68.5 〜 19.8
R 1 =   58.092      D 1 =  6.50      N 1 = 1.712995      ν 1 = 53.9
R 2 = -195.337      D 2 =  1.80      N 2 = 1.846660      ν 2 = 23.9
R 3 =  613.798      D 3 =  可変
R 4 =  128.035      D 4 =  1.50      N 3 = 1.670029      ν 3 = 47.2
R 5 =   12.300      D 5 =  5.97
R 6 =  -74.458      D 6 =  1.00      N 4 = 1.772499      ν 4 = 49.6
R 7 =   25.250      D 7 =  0.12  R 8 =   19.883      D 8 =  3.20      N 5 = 1.846660      ν 5 = 23.9
R 9 =   77.032      D 9 =  可変
R10 =    絞り       D10 =  1.15
* R11 =   35.937      D11 =  2.20      N 6 = 1.491710      ν 6 = 57.4
R12 =  558.742      D12 =  可変
R13 =   14.402      D13 =  5.28      N 7 = 1.487490      ν 7 = 70.2
R14 =  -45.390      D14 =  1.00      N 8 = 1.846660      ν 8 = 23.9
R15 =  215.130      D15 =  6.01
R16 =  256.239      D16 =  2.30      N 9 = 1.524700      ν 9 = 56.2
* R17 =  -78.926      D17 =  可変
R18 =    ∞ 
非球面係数
11面 :  Ａ=0.00000e+00  Ｂ=-2.19327e-06  Ｃ=1.39344e-08
Ｄ=0.00000e+00  E=0.00000e+00 F=0.00000e+00
17面 : ｋ=0.00000e+00  Ａ=０  Ｂ=7.69941e-05  Ｃ=8.46426e-08
Ｄ=7.32963e-09 E=-4.13547e-11 F=0.00000e+00
＼焦点距離    20.00    31.30    78.02
可変間隔＼
D 3             3.22    13.34     31.01
D 9            17.79    11.26      2.77
D12            12.63     7.68      1.16
D17             0.00     7.23     27.99
【００８５】
【表１】
0004794935.tif 000003
【図面の簡単な説明】
【００８６】
【図１】実施形態１のズームレンズの広角端のレンズ断面図
【図２】実施形態１のズームレンズの広角端、望遠端のズーム位置における収差図
【図３】実施形態１のズームレンズの広角端、望遠端のズーム位置における収差図
【図４】実施形態２のズームレンズの広角端のレンズ断面図
【図５】実施形態２のズームレンズの広角端、望遠端のズーム位置における収差図
【図６】実施形態２のズームレンズの広角端、望遠端のズーム位置における収差図
【図７】実施形態３のズームレンズの広角端のレンズ断面図
【図８】実施形態３のズームレンズの広角端、望遠端のズーム位置における収差図
【図９】実施形態３のズームレンズの広角端、望遠端のズーム位置における収差図
【図１０】実施形態４のズームレンズの広角端のレンズ断面図
【図１１】実施形態４のズームレンズの広角端、望遠端のズーム位置における収差図
【図１２】実施形態４のズームレンズの広角端、望遠端のズーム位置における収差図
【図１３】実施形態５のズームレンズの広角端のレンズ断面図
【図１４】実施形態５のズームレンズの広角端、望遠端のズーム位置における収差図
【図１５】実施形態５のズームレンズの広角端、望遠端のズーム位置における収差図
【図１６】実施形態６のズームレンズの広角端のレンズ断面図
【図１７】実施形態６のズームレンズの広角端、望遠端のズーム位置における収差図
【図１８】実施形態６のズームレンズの広角端、望遠端のズーム位置における収差図
【符号の説明】
【００８７】
ΔＳ  サジタル
ΔＭ  メリジオナル
ＩＰ  像面
ＳＰ  絞り
ＦＳ  フレアーカット絞り
L1  第１群
L2  第２群
L3  第３群
L4  第４群
【図１】
0004794935.tif 000004
【図２】
0004794935.tif 000005
【図３】
0004794935.tif 000006
【図４】
0004794935.tif 000007
【図５】
0004794935.tif 000008
【図６】
0004794935.tif 000009
【図７】
0004794935.tif 000010
【図８】
0004794935.tif 000011
【図９】
0004794935.tif 000012
【図１０】
0004794935.tif 000013
【図１１】
0004794935.tif 000014
【図１２】
0004794935.tif 000015
【図１３】
0004794935.tif 000016
【図１４】
0004794935.tif 000017
【図１５】
0004794935.tif 000018
【図１６】
0004794935.tif 000019
【図１７】
0004794935.tif 000020
【図１８】
0004794935.tif 000021